(57)【要約】【課題】  カラーベスト等の平瓦を葦設する屋根に対応し、雨漏りすることがなく、市販されている多様な太陽光パネルの形状に対応した太陽光パネルの平板状支持瓦及びそれを用いた太陽光パネルの設置方法を提供する。【解決手段】  屋根材としてカラーベスト等の平板状瓦と同様に葺設し、太陽光パネルを設置するための太陽光パネルの平板状支持瓦１であって、薄板２上面の一部に台地状の隆起部３を設け、該隆起部３の上面には、上方にのみ開口した非貫通のボルト挿入孔４を夫々異なる径サイズで複数形成してなり、太陽光パネルの支持部材７の様式に応じて適合するボルト４ａを複数のボルト挿入孔４のいずれかに螺設し、ボルト４ａに支持部材７を取付けた後、該支持部材７を介して太陽光パネルを屋根上に設置する。【選択図】図１
2011122402.tif 000002
【特許請求の範囲】
【請求項１】
薄板上面の一部に上方に開口した非貫通のボルト挿入孔を設けてなることを特徴とする太陽光パネルの平板状支持瓦。
【請求項２】
前記薄板上面の一部に台地状の隆起部を設け、該隆起部の上面の一部に上方に開口した非貫通のボルト挿入孔を設けたことを特徴とする太陽光パネルの平板状支持瓦。
【請求項３】
前記ボルト挿入孔は、複数のボルト挿入孔が夫々異なる径サイズで複数形成したものであることを特徴とする請求項１又は請求項２のいずれかに記載の太陽光パネルの平板状支持瓦。
【請求項４】
請求項３に記載の平板状支持瓦を用い、支持部材を介して太陽光パネルを設置する太陽光パネルの設置方法であって、
下葺材の所定の箇所に一対の平板状支持瓦を葺設する工程と、
多々ある支持部材の様式に応じて該支持部材の様式に適合するボルト径のボルトを、前記薄板又は隆起部の上面に設けた複数の径サイズで開口したボルト挿入孔のいずれかに螺設する工程と、
該支持部材は棒状で両端にボルト孔が形成されており、一対の平板状支持瓦に夫々螺設した前記ボルトを該ボルト孔に夫々挿入して支持部材を架設する工程と、
該支持部材上に太陽光パネルを固設する工程とを有することを特徴とする太陽光パネルの設置方法。
【発明の詳細な説明】
【技術分野】
【０００１】
本発明は、スレート製のカラーベストや金属製平板瓦等の平板状瓦を葦設する屋根上において、太陽光パネルを設置するために葺く平板状支持瓦及びそれを用いた太陽光パネルの設置方法に関する。
【背景技術】
【０００２】
近年、住宅建築で利用する屋根材について、葦設が容易で施行期間の短縮を図ることができ、且つ低コストで耐久性にも優れた平板状瓦のカラーベストの利用が増加している。また、カラーベストと同様の平板状の瓦が、例えば金属製の平板状瓦等が、従来の波型の和瓦に替わって普及してきている。
【０００３】
一方で、昨今の環境問題への取組みを踏まえ、自家発電による省エネルギー化、或いは自家発電した電気の売買を目的として、自宅の屋根上に太陽光パネルを設置する住宅の普及も活発化している。
【０００４】
そんな中、和瓦を葺設した住宅又はカラーベスト等の平板状瓦を葺設した住宅の屋根上に太陽光パネルを設置する技術として、以下のものが提供されている。
【０００５】
太陽光パネルのベース板を屋根瓦の上に葺設し、ベース板の上面に太陽光パネルの固定バーを載置して、ビス又は釘等の固定具を固定バーからベース板、屋根瓦を貫通して屋根下地まで打設してベース板を固定する構造を採用することにより、屋根瓦上の適切な位置にベース板を介して太陽光パネルを簡単且つ強固に取り付け可能である屋根機能パネル用ベース板の取付構造が適用されている（特許文献１）。
【０００６】
また、屋根瓦の瓦本体上面に支持膨部を形成し、該支持膨部に対して上方から被嵌して定置する脚片部と、太陽光パネルの枠体を嵌合支持する受承部とを一体に形成し、該脚片部と受承部に調節長孔を設けることにより、太陽光パネルを葺上げられた瓦の流れ方向及び桁行き方向に対応して簡易に設置することのできる屋根上に載置される構造物の取付装置が提供されている（特許文献２）。
【先行技術文献】
【特許文献】
【０００７】
【特許文献１】特開２００５−０３６５４８号公報
【特許文献２】特開平０９−３１０４５８号公報
【発明の概要】
【発明が解決しようとする課題】
【０００８】
しかしながら、特許文献１に記載の取付構造では、ビス又は釘等が屋根瓦を貫通して屋根下地まで打設されるために、該貫通孔から雨水等が浸透して屋根の内側を腐食させる可能性がある。また、一般的にこのようなビス孔又は釘穴には防水用にコーキング材を塗布するものの、コーキング材の耐用年数は短く、数年毎にコーキング材を塗布する必要があるため手間が掛かった。また、太陽光パネルを取り外した際には、屋根材にビス孔又は釘穴が開口した状態になり、美観や耐久性の低下、雨漏りの発生等という問題を引き起こすため、屋根材を再度葺設しなければならないという問題があった。
【０００９】
また、特許文献２に記載の取付装置では、和瓦を葺設した屋根上に太陽光パネルを簡易に設置することはできるが、近年増加傾向にある平板状のスレート製や金属製の平板状瓦には対応できていなかった。また、太陽光パネルの規格によって多種多様な取付け金具が流通している実情を勘案すると、該取付装置の支持膨部及び取付孔の形状が一定に形成されているために、一定の取付け金具にしか対応することができず、他の形状で形成された取付け金具を支持膨部及び取付孔に取付けることができなかった。そのため、各太陽光パネルの規格に適合した支持膨部及び取付孔を有する取付装置を夫々製造する必要があり、コスト的に非効率になるという問題があった。
【００１０】
そこで、本発明は、カラーベスト等の平板状瓦を葦設する屋根に対応し、雨漏り等の水の浸透を防止することができ、流通している多様な太陽光パネルの取付け金具の形状に対応した太陽光パネルの平板状支持瓦及びそれを用いた太陽光パネルの設置方法を提供することを課題とした。
【課題を解決するための手段】
【００１１】
上記課題を解決するために、本発明は次のように構成した。すなわち、本発明に係る請求項１に記載の太陽光パネルの平板状支持瓦は、薄板上面の一部に上方に開口した非貫通のボルト挿入孔を設けてなることを特徴としている。
【００１２】
また、請求項２に記載の太陽光パネルの平板状支持瓦は、前記薄板上面の一部に台地状の隆起部を設け、該隆起部の上面の一部に上方に開口した非貫通のボルト挿入孔を設けたことを特徴としている。
【００１３】
さらに、請求項３に記載の太陽光パネルの平板状支持瓦は、前記ボルト挿入孔が夫々異なる径サイズで複数形成したものであることを特徴としている。
【００１４】
また、請求項４に記載の太陽光パネルの設置方法は、前記請求項３に記載の平板状支持瓦を用い、支持部材を介して太陽光パネルを設置する太陽光パネルの設置方法であって、下葺材の所定の箇所に一対の平板状支持瓦を葺設する工程と、多々ある支持部材の様式に応じて該支持部材の様式に適合するボルト径のボルトを、前記薄板又は隆起部の上面に設けた複数の径サイズで開口したボルト挿入孔のいずれかに螺設する工程と、該支持部材は棒状で両端にボルト孔が形成されており、一対の平板状支持瓦に夫々螺設した前記ボルトを該ボルト孔に夫々挿入して支持部材を架設する工程と、該支持部材上に太陽光パネルを固設する工程とを有することを特徴としている。
【発明の効果】
【００１５】
本発明に係る請求項１に記載の太陽光パネルの平板状支持瓦によれば、太陽光パネルを支持するボルト等の支持部材を挿入する孔が貫通することなく開口しているので雨漏りするはことなく、また、薄板で屋根上に葺くカラーベスト等と同程度の平板状に形成されているので、屋根上にカラーベスト等を葺設するのに従って本発明に係る平板状支持瓦をカラーベスト等と同様に葺設ことができる。
【００１６】
またその際、ボルト挿入孔にボルトを螺設して支持部材を固定すれば、太陽光パネルを容易に設置することができるとともに、太陽光パネルを取り外しても、美観や耐久性を損なうことがないので本発明に係る平板状支持瓦をカラーベストと同様に平瓦として利用でき、態々新たにカラーベストを葺設する手間を必要とせずに済む。
【００１７】
請求項２に記載の太陽光パネルの平板状支持瓦によれば、ボルト挿入孔を設けるための隆起部を薄板上に形成することにより、薄板上にボルト挿入孔を設けた場合に比べて、平板状支持瓦の強度を向上させることができる。
【００１８】
また、請求項３に記載の太陽光パネルの平板状支持瓦によれば、複数のボルト挿入孔が複数の径サイズで開口して設けられているので、多様な太陽光パネルを取付ける際の支持部材の規格に対応することができる。
【００１９】
さらに、請求項４に記載の太陽光パネルの設置方法によれば、前記請求項３に記載の太陽光パネルの平板状支持瓦を用いて容易に太陽光パネルを屋根上に設置することができる。
【図面の簡単な説明】
【００２０】
【図１】本発明に係る太陽光パネルの平板状支持瓦を示す平面図である。
【図２】平板状支持瓦を示すＡ−Ａ’断面拡大図である。
【図３】平板状支持瓦を葺設する様子を示す図である。
【図４】太陽光パネルを設置する支持部材を取付ける様子を示す図である。
【図５】太陽光パネルを設置する支持部材を取付ける様子を示す断面図である。
【図６】他の平板状支持瓦の実施例を示す図である。
【発明を実施するための形態】
【００２１】
以下、図面に基づいて本発明を具体的に説明する。まず、図１は、本発明に係る平板状支持瓦１の構成を示す平面図である。平板状支持瓦１は、屋根上に葺設する平板状瓦等と同程度の形状に形成した略矩形の薄板２と、該薄板２上の一部に設けた隆起部３から構成される。該薄板２には、屋根の内側方向にビス又は釘を打ち込んで平板状支持瓦１を固定するためのビス孔２ａを薄板２の長手方向に一列に複数個並べて形成する。また、前記隆起部３には、ボルト挿入孔４を上方に開口させて複数個形成する。
【００２２】
隆起部３に形成した複数のボルト挿入孔４は、開口部の径サイズが夫々異なっており、各種市販されている太陽光パネルの規格による取付け金具の様式の差異に対応するものである。また、該ボルト挿入孔４は、上述の通り上方に開口して形成されているものの下方向には貫通しておらず、その様子について図２を用いて説明する。なお、薄板２及び隆起部３は、金属製、スレート製等で、平板状瓦等を形成する素材と同等のものであればよいが、強度を鑑みれば金属製がよい。
【００２３】
図２は、図１のＢ−Ｂ’及びＣ−Ｃ’間におけるＡ−Ａ’断面拡大図である。上述したように、ボルト挿入孔４は、隆起部３の上方に開口して様々な口径で複数形成され、各種ボルト４ａのボルト径に螺設可能に対応するとともに、下方向には貫通せずに形成されている。該ボルト４ａは、両端にネジ溝が設けられ、下端のネジ溝をボルト挿入孔４に螺設し、もう一方の上端のネジ溝を太陽光パネルの取付け金具に螺設することによって太陽光パネルを平板状支持瓦１に固定する。なお、図２に示すように、薄板２上に隆起部３を設けた一体的な平板状支持瓦１に形成してもよいし、薄板２上に隆起部３と同じ大きさの金属片を固設して平板状支持瓦１を構成してもよい。
【００２４】
次に、図３乃至図５を用いて、本発明に係る太陽光パネルの平板状支持瓦１を用いた太陽光パネルの設置方法について説明する。図３は、平板状瓦であるカラーベスト６及び平板状支持瓦１を屋根の下葺材５上に葺設する工程を示す図である。ここでは、前記平板状瓦等としてカラーベスト６を用いて説明する。住宅屋根の軒先から大棟の方向へ、屋根勾配の下方から一段目、二段目というようにカラーベスト６をビス孔６ａにビス又は釘を打ち込んで下葺材５上に葺設するとともに、太陽光パネルを設置する所定の位置には、カラーベスト６に替えて平板状支持瓦１をビス孔２ａに釘又はビスを打ち込んで葺設する。この時、上段の平板状瓦１又はカラーベスト６が下段のビス孔２ａ又はビス孔６ａを被覆するように葺設する。このように上段の平板状支持瓦１又はカラーベスト６を下段のビス孔２ａ又はビス孔６ａに被覆することにより、該ビス孔２ａ又は６ａから雨水等の浸透を防止することができる。
【００２５】
図４は、上記平板状支持瓦１及びカラーベスト６を葺設した後、太陽光パネルを設置するための棒状の支持部材７を固定する様子を示す図であり、図５は、その断面図である。なお、ここでは、前記太陽光パネルの取付け金具として、棒状の支持部材７を用いて説明する。まず、平板状支持瓦１に設けたボルト挿入孔４に、両端にネジ溝のあるボルト４ａの下端を螺設する。前記棒状の支持部材７には、上記ボルト４ａを挿通するためのボルト孔７ａが棒状の両端に設けられており、二箇所に葺設した平板状支持瓦１に支持部材７を架設するように夫々のボルト孔７ａにボルト４ａを挿入する。したがって、上記平板状支持瓦１を葺設する所定の位置とは、上記支持部材７を架設するのに対応した位置である。
【００２６】
二箇所の平板状支持瓦１のボルト挿入孔４に夫々ボルト４ａを螺設した後、支持部材７のボルト孔７ａにボルト４ａを挿入する際には、棒状の支持部材７の上面及び下面から２つの座金７ａを用いて支持部材７を挟持させながら、ボルト４ａを支持部材７の両端に設けたボルト孔７ａに夫々挿入し、ボルト４ａの上端にナット７ｂを螺設して支持部材７を固定する。
【００２７】
そして、断面図５に示す通り、ボルト４ａが平板状支持瓦１を貫通することなく、また、平板状支持瓦１及びカラーベスト６を下葺材５に葺設する際にビス又は釘を打ち込んだビス孔２ａ及びビス孔６ａは、上段に葺設した平板状支持瓦１又はカラーベスト６によって覆われるので、雨水等の浸透を防止することができる。
【００２８】
また、平板状支持瓦１は、カラーベスト６等と同程度のサイズに形成されるので瓦屋根の美観を損ねることもなく、ボルト挿入孔４が平板状支持瓦１を下方向に貫通していないので太陽光パネルを固定するボルト４ａ及び支持部材７を取り外しても、釘穴等が残らないので改めてカラーベスト６を葺く必要がない。
【００２９】
さらに、ボルト挿入孔４は、複数のボルト挿入孔が複数の径サイズで開口して設けられているので、太陽光パネルを取付ける際の多様な取付け金具の規格に対応することができる。
【００３０】
上記実施例では、薄板２上に隆起部３を設けたが、隆起部３を設けずに薄板２上にボルト挿入孔４を形成してもよい。例えば、上記カラーベスト６よりも厚手の瓦材を用いて屋根葺きする場合には、図６に示すように、薄板２上の一部に隆起部３を設けず、平板状支持瓦の上表面に直接、ボルト挿入孔４を形成してもよい。
【００３１】
また、平板状支持材１の薄板２を、縞鋼板を用いて構成してもよい。薄板２を縞鋼板で構成すれば、その上下面に略格子状の突起が形成されているために、上下段で重なるカラーベストとの間に縞鋼板の突起の高さだけ容易に隙間を作ることができ、屋根内側面への通気性を確保することができる。また、葺設したカラーベスト６が上下段で密着していた場合には、毛細管現象により雨水が屋根内側に浸透することもあるが、該略格子状の突起によって形成された隙間により、毛細管現象による雨水の浸透を防止することができる。さらに、市販の縞鋼板を使用することで平板状支持瓦１を簡易に製造することも可能である。
【産業上の利用可能性】
【００３２】
波型の和瓦の上表面にボルト挿入孔４を設ければ、上記のカラーベスト６のような平瓦等でなくても容易に太陽光パネルを取付けるための支持部材７を固定することが可能である。
【符号の説明】
【００３３】
１    平板状支持瓦
２    薄板
２ａ  ビス孔
３    隆起部
４    ボルト挿入孔
４ａ  ボルト
５    下葺材
６    カラーベスト
６ａ  ビス孔
７    支持部材
７ａ  ボルト孔
７ｂ  座金
７ｃ  ナット
【図１】
2011122402.tif 000003
【図２】
2011122402.tif 000004
【図３】
2011122402.tif 000005
【図４】
2011122402.tif 000006
【図５】
2011122402.tif 000007
【図６】
2011122402.tif 000008